(57)【要約】【課題】簡易且つ手間のかからない構成でシューズクロークを容易に設けることができ、また効率の良い玄関の設計を行うことのできるシューズクローク付き玄関を提供する。【解決手段】本発明のシーズクローク付き玄関１０は、玄関１１の土間部１２とホール部１３との段差部分１４に配置される玄関框１５と交差して、裏面側に下駄箱１８が設けられた間仕切り収納家具１６を、ホール部１３から土間部１２に張り出すと共に、玄関框１５と対向する外壁１９との間に一般居住者の通路２０となる間隔を保持して設置することにより、土間部１２を、間仕切り収納家具１６の表側の主玄関部２１と、間仕切り収納家具１６の裏側のシューズクローク部１７とに区画することによって構成される。また間仕切り収納家具１６は、ホール部１３から土間部１２に張り出した部分において、土間部１２の床面１２ａとの間に介在して設けた台座２２によって支持されて設けられる。【選択図】図２
2008088663.tif 000002
【特許請求の範囲】
【請求項１】
玄関の土間部とホール部との段差部分に配置される玄関框と交差して、少なくとも裏面側に下駄箱が設けられた間仕切り収納家具を、前記ホール部から前記土間部に張り出すと共に、前記玄関框と対向する外壁との間に一般居住者の通路となる間隔を保持して設置することにより、前記土間部を、前記間仕切り収納家具の表側の主玄関部と、前記間仕切り収納家具の裏側のシューズクローク部とに区画してなるシューズクローク付き玄関。
【請求項２】
前記間仕切り収納家具は、前記ホール部から前記土間部に張り出した部分において、前記土間部の床面との間に介在して設けた台座によって支持されて設けられている請求項１記載のシューズクローク付き玄関。
【請求項３】
前記間仕切り収納家具には、クローゼットが設けられている請求項１又は２記載のシューズクローク付き玄関。
【請求項４】
前記間仕切り収納家具には、縦長収納部が設けられている請求項１〜３のいずれかに記載のシューズクローク付き玄関。
【発明の詳細な説明】
【技術分野】
【０００１】
本発明は、シューズクローク付き玄関に関し、特に間仕切り収納家具を利用したシューズクローク付き玄関に関する。
【背景技術】
【０００２】
近年、靴等の履物や玄関廻りの収納物を効率良く収納できるようにした種々の玄関収納が開発されており（例えば、特許文献１参照）、また奥行きの深い玄関収納を玄関が狭くならないよう効率良く設けるようにした玄関収納装置も開発されている（例えば、特許文献２参照）。
【０００３】
一方、近年、履物の種類や数が多くなってきており、季節毎に履物を換えて用いる場合もあることから、例えば一般の住宅建築物等においても、履物を収容するためのより大きなスペースの収納部を、玄関や玄関に近接する部分に設けることが要望されている。またこのような大きなスペースの履物を収容するための収納部として、いわゆるシューズクロークが知られている。シューズクロークは、一般に、玄関から仕切り壁によって仕切られることにより、玄関に隣接して玄関の土間部から出入り可能に設けられるものである。
【特許文献１】特開平６−１５４０４１号公報
【特許文献２】特開平１０−３２５２３７号公報
【発明の開示】
【発明が解決しようとする課題】
【０００４】
しかしながら、従来のシューズクロークでは、玄関の土間部とホール部との段差部分である玄関框と交差して仕切り壁を設けるのには、多くの手間がかかると共に、仕切り壁は、例えば１５０ｍｍ程度の相当の厚さで設けられるので、この仕切り壁の厚さによって玄関のスペースが狭められることになり、その分玄関の間口寸法を大きく形成する必要を生じて、効率の良い玄関の設計ができなくなる。
【０００５】
本発明は、このような従来の課題に着目してなされたものであり、簡易且つ手間のかからない構成でシューズクロークを容易に設けることができると共に、効率の良い玄関の設計を行うことのできるシューズクローク付き玄関を提供することを目的とする。
【課題を解決するための手段】
【０００６】
本発明は、玄関の土間部とホール部との段差部分に配置される玄関框と交差して、少なくとも裏面側に下駄箱が設けられた間仕切り収納家具を、前記ホール部から前記土間部に張り出すと共に、前記玄関框と対向する外壁との間に一般居住者の通路となる間隔を保持して設置することにより、前記土間部を、前記間仕切り収納家具の表側の主玄関部と、前記間仕切り収納家具の裏側のシューズクローク部とに区画してなるシューズクローク付き玄関を提供することにより、上記目的を達成したものである。
【０００７】
そして、本発明のシューズクローク付き玄関は、前記間仕切り収納家具が、前記ホール部から前記土間部に張り出した部分において、前記土間部の床面との間に介在して設けた台座によって支持されて設けられていることが好ましい。
【０００８】
また、本発明のシューズクローク付き玄関は、前記間仕切り収納家具にクローゼットが設けられていることが好ましい。
【０００９】
さらに、本発明のシューズクローク付き玄関は、前記間仕切り収納家具に縦長収納部が設けられていることが好ましい。
【発明の効果】
【００１０】
本発明のシューズクローク付き玄関によれば、簡易且つ手間のかからない構成でシューズクロークを容易に設けることができると共に、効率の良い玄関の設計を行うことができる。
【発明を実施するための最良の形態】
【００１１】
本発明の好ましい第１実施形態に係るシューズクローク付き玄関１０は、図１及び図２に示すように、例えば一戸建ての住宅建築物の玄関１１において、土間部１２とホール部１３との段差部分１４に配置される玄関框１５と交差して、間仕切り収納家具１６を設置することにより、玄関１１に、シューズクローク部１７を簡易に設けることを可能にするものである。
【００１２】
すなわち、本第１実施形態のシューズクローク付き玄関１０は、玄関１１の土間部１２とホール部１３との段差部分１４に配置される玄関框１５と交差して、少なくとも裏面側に下駄箱１８が設けられた間仕切り収納家具１６を、ホール部１３から土間部１２に張り出すと共に、玄関框１５と対向する外壁１９との間に一般居住者の通路２０となる間隔を保持して設置することにより、土間部１２を、間仕切り収納家具１６の表側の主玄関部２１と、間仕切り収納家具１６の裏側のシューズクローク部１７とに区画することによって構成されている。
【００１３】
また、本第１実施形態では、間仕切り収納家具１６は、ホール部１３から土間部１２に張り出した部分において、土間部１２の床面１２ａとの間に介在して設けた台座２２によって支持されて設けられている。
【００１４】
本第１実施形態では、玄関１１は、例えば２７３０ｍｍ程度の間口寸法ｓ1を有しており、出入り口２３が設けられた外壁１９に隣接して、床面１２ａが例えばタイルや石によって覆われた土間部１２が、例えば１３６５ｍｍ程度の奥行きｓ2で設けられている。また土間部１２に隣接して、ホール部１３が設けられており、土間部１２とホール部１３との境界は、例えば高さが１８０ｍｍ程度の段差部分１４となっていると共に、この段差部分１４に玄関框１５が配置されている。
【００１５】
そして、本第１実施形態では、玄関框１５と垂直に交差して、裏面側に下駄箱１８が設けられた間仕切り収納家具１６を、玄関１１の間口を例えば１８２０ｍｍ程度の幅ｓ3の主玄関部２１と、９１０ｍｍ程度の幅ｓ4のシューズクローク部１７とに区画するようにして、ホール部１３から土間部１２に半島状に張り出した状態で設置する。また本第１実施形態では、間仕切り収納家具１６は、ホール部１３の床面１３ａから天井面に至る高さで、主玄関部２１とシューズクローク部１７との間を仕切るように設けられている。
【００１６】
ここで、間仕切り収納家具１６は、例えば幅ｂが２００〜８００ｍｍ程度、長さｄが４５５〜２７００ｍｍ程度の縦長の平面形状を有しており、例えば３００〜７５０ｍｍ程度の長さｄ1の部分が、ホール部１３から土間部１２に張り出して設置されることにより、玄関框１５と対向する外壁１９との間に一般居住者が通過可能は通路２０として、例えば５００〜１０００ｍｍ程度の間隔ｐが保持される。
【００１７】
また、本第１実施形態では、間仕切り収納家具１６は、シューズクローク部１７に面する裏側が、必要に応じて設けられた開閉扉等によって開放可能な開口面となっていると共に、適宜設けられた仕切り板２３等によって縦方向又は横方向に仕切られることにより、その略全体が、裏側から出し入れ可能な下駄箱１８となっている。これによって、土間部１２の主玄関部２１から出入り可能なシューズクローク部１７には、間仕切り収納家具１６による、大きなスペースの下駄箱１８が設けられると共に、ホール部１３側から回り込みが可能な、ホール部１３における間仕切り収納家具１６の裏側にも、大きなスペースの下駄箱１８が設けられることになる。なお、間仕切り収納家具１６の裏側部分のホール部１３を、土間部１２と同じ床面１２ａの高さとなるように切り欠いて、間仕切り収納家具１６の裏側の全体をシューズクローク部１７とすることもできる。
【００１８】
さらに、本第１実施形態では、間仕切り収納家具１６の主玄関部２１側に面した表側の面は、インテリアとして有効なように、例えば木目調のパネルで覆って形成されると共に、適宜鏡などを設置しておくことができ、また手摺り２４を設けて、玄関１１における利便性を向上させることもできる。
【００１９】
本実施形形態では、間仕切り収納家具１６のホール部１３から土間部１２に張り出した部分は、土間部１２の床面１２ａとの間に介在して設けた台座２２によって、当該床面１２ａから支持されている。台座２２としては、図３（ａ）に示すような、少なくとも主玄関部２１側に露出する面にタイルや石が貼り付けられた壁（箱）タイプの台座２２ａや、図３（ｂ）に示すような、載置台の４隅に支持脚２５を設けた足タイプの台座２２ｂ、図３（ｃ）に示すような、中間にタイル等による化粧が施された間仕切り２６を設けたＴ字タイプの台座２２ｃ等を用いることができる。また、図３（ａ）に示す壁（箱）タイプの台座２２ａの場合、シューズクローク部１７側を開口面とすることにより、中空内部を履物等の収納部として有効利用することができる。またタイルや石で覆った主玄関部２１側に露出する面の床面１２ａと近接する下端部分に、例えばステンレス製の水切り２７を設けておくことにより、水の廻り込みを効果的に防止することが可能になる。
【００２０】
そして、上述の構成を備える本第１実施形態のシューズクローク付き玄関１０によれば、簡易且つ手間のかからない構成でシューズクローク（シューズクローク部）１７を容易に設けることができると共に、効率の良い玄関１１の設計を行うことが可能になる。すなわち、本実施形態によれば、玄関框１５と交差して、裏面側に下駄箱１８が設けられた間仕切り収納家具１６を、ホール部１３から土間部１２に張り出して設けるだけの簡易な構成によって、主玄関部２１から土足のまま出入り可能なシューズクローク部１７を土間部１２に容易に設けることができ、これによって多くの履物を収容するための利便性に富んだ大きなスペースの履物の収納部を、仕切り壁のような手間のかかる作業を要することなく、容易に設けることが可能になる。
【００２１】
また、本第１実施形態によれば、仕切り壁を設けることなく収納家具１６をそのまま玄関１０の間仕切りとして用いるので、仕切り壁の厚さ分のスペースを収納家具１６のスペースとして有効利用することが可能になると共に、玄関１１の間口寸法ｓ1を大幅に増やすことなく、効率の良い面積配分でシューズクローク部１７を玄関１１に設けることが可能になる。
【００２２】
図４（ａ），（ｂ）は、本発明の第２実施形態に係るシューズクローク付き玄関に用いる間仕切り収納家具２８を示すものである。本第２実施形態によれば、間仕切り収納家具２８は、クローゼット併用型玄関収納であって、これを平面形状の長手方向に３分割して、土間部１２への張出し側の先端部分には、シューズクローク部１７及び主玄関部２１の双方から利用可能な両面タイプの下駄箱部２８ａが配置されている。また、中央部分には、シューズクローク部１７側の面が開口面となっていて、ハンガ等に吊り下げた洋服等がはみ出し可能となっていると共に、主玄関部２１側の面が開閉可能な扉部３０となったクローゼット部２８ｂが配置されている。さらに、ホール部１３側の部分には、シューズクローク部１７側が奥行きの深い下駄箱３１となっていると共に、主玄関部２１側が飾り棚３２となった飾り棚部２８ｃが配置されている。
【００２３】
図５（ａ），（ｂ）は、本発明の第３実施形態に係るシューズクローク付き玄関に用いる間仕切り収納家具２９を示すものである。本第３実施形態によれば、間仕切り収納家具２９は、縦長の収納部が設けられた縦長収納部併用型玄関収納であって、これを平面形状の長手方向に３分割して、土間部１２への張出し側の先端部分には、シューズクローク部１７側が開口面となった縦長の第１ボックスタイプ収納部２９ａが配置され、この第１ボックスタイプ収納部１９ａには、例えばゴルフバックやスキー用品等の縦長の収納物品が収納される。また、中央部分には、シューズクローク部１７側が開口面となっていると共に、稼動棚３３やダボ３４が設けられた下駄箱部２９ｂが配置されている。さらに、ホール部１３側の部分には、シューズクローク部１７側が開口面となった縦長の第２ボックスタイプ収納部２９ｃが配置され、この第２ボックスタイプ収納部２９ｃは、例えば洋服等を吊り下げた状態で収容するクローゼットとして用いられる。
【００２４】
図６（ａ），（ｂ）は、本発明の第４実施形態に係るシューズクローク付き玄関に用いる間仕切り収納家具３５を示すものである。本第４実施形態によれば、間仕切り収納家具３５は、格子状に組み立てた枠体３６による各単位枠３７の中に、少なくとも一面が開口面３８ａとなった六面体形状の収納ブロック３８（図６（ｂ）参照）を、着脱可能に取り付けて構成されるものである。収納ブロック３８は、一部の収納ブロック３８の開口面３８ａを、シューズクローク部１７側に開口させて下駄箱や収納部等として用いると共に、その他の収納ブロック３８は、開口面３８ａを主玄関部２１側や張出し側の先端面に開口させて設置することにより、収納箱や飾り棚等として用いることが可能になり、これによって、変化に富んだ間仕切りを形成することが可能になる。
【００２５】
そして、これらの間仕切り収納家具２８，２９，３５が設けられたシューズクローク付き玄関によっても、玄関框１５と交差して、裏面側に下駄箱が設けられた間仕切り収納家具２８，２９，３５を、ホール部１３から土間部１２に張り出して設けるだけの簡易な構成によって、土間部１２に主玄関部２１から土足のまま出入り可能なシューズクローク部１７を容易に設けることができ、これによって上記第１実施形態のシューズクローク付き玄関と同様の作用効果を奏することになる。
【００２６】
なお、本発明は上記各実施形態に限定されることなく種々の変更が可能である。例えば、間仕切り収納家具は、ホール部から土間部に張り出した部分において台座によって支持して設ける必要は必ずしもなく、例えば間仕切り収納家具の先端部に支持脚部を設けて、この支持脚部によって張り出した部分を支持させるようにすることもできる。また、本発明のシューズクローク付き玄関は、一戸建て住宅建築物の玄関に限定されることなく、マンション等の集合住宅における各戸の玄関として設けることもできる。
【図面の簡単な説明】
【００２７】
【図１】本発明の好ましい第１実施形態に係るシューズクローク付き玄関の略示斜視図である。
【図２】本発明の好ましい第１実施形態に係るシューズクローク付き玄関の略示平面図である。
【図３】（ａ）〜（ｃ）は、台座の形態を例示する略示斜視図である。
【図４】（ａ）は本発明の好ましい第２実施形態に用いる間仕切り収納家具の略示斜視図、（ｂ）は略示平断面図である。
【図５】（ａ）は本発明の好ましい第３実施形態に用いる間仕切り収納家具の略示斜視図、（ｂ）は略示平断面図である。
【図６】（ａ）は本発明の好ましい第４実施形態に用いる間仕切り収納家具の略示斜視図、（ｂ）は間仕切り収納家具に設置される収納ブロックを説明する略示斜視図である。
【符号の説明】
【００２８】
１０  シューズクローク付き玄関
１１  玄関
１２  土間部
１２ａ  土間部の床面
１３  ホール部
１３ａ  ホール部の床面
１４  段差部分
１５  玄関框
１６，２８，２９，３５  間仕切り収納家具
１７  シューズクローク部
１８  下駄箱
１９  玄関框と対向する外壁
２０  通路
２１  主玄関部
２２，２２ａ，２２ｂ，２２ｃ  台座
【図１】
2008088663.tif 000003
【図２】
2008088663.tif 000004
【図３】
2008088663.tif 000005
【図４】
2008088663.tif 000006
【図５】
2008088663.tif 000007
【図６】
2008088663.tif 000008